(57)【要約】【課題】相手の画像や自画像を容易に撮影可能な折り畳み型携帯端末装置を提供する。【解決手段】カメラ２及びサブＬＣＤ３は上部筐体１ａと下部筐体１ｂとが閉じた状態において、互いに対向する面、つまり背中合わせの状態となる。カメラ２及びサブＬＣＤ３は上部筐体１ａと下部筐体１ｂとが開いた状態において、同一面側に配置されることとなる。サイドキー４は下部筐体１ｂの側面に配置されており、このサイドキー４をカメラ２のシャッタとして用いることで、ユーザはサブＬＣＤ３を介してカメラ２がとらえた相手の画像を確認し、サイドキー４を押下することで、上部筐体１ａと下部筐体１ｂとが閉じた状態のままで、相手の画像を撮影記録することができる。【選択図】      図１
2004260501.tif 000002
【特許請求の範囲】
【請求項１】
画像を取込む撮像手段と各種情報を表示するメイン表示手段とが少なくとも配置された第１の筐体と、各種情報の入力を行うキー操作手段が少なくとも配置された第２の筐体とを回動自在に接続してなる折り畳み型携帯端末装置であって、前記第２の筐体に設けられかつ前記撮像手段にて取込んだ画像を表示可能なサブ表示手段を有し、前記第１の筐体と前記第２の筐体とが閉じた状態において前記撮像手段と前記サブ表示手段とを互いに対向する面上に配置することを特徴とする折り畳み型携帯端末装置。
【請求項２】
前記第１の筐体と前記第２の筐体とが閉じた状態において、前記撮像手段にて取込まれた画像を前記サブ表示手段に表示することを特徴とする請求項１記載の折り畳み型携帯端末装置。
【請求項３】
前記第１の筐体と前記第２の筐体とが開いた状態において、前記撮像手段にて取込まれた画像を前記メイン表示手段に表示することを特徴とする請求項１または請求項２記載の折り畳み型携帯端末装置。
【請求項４】
前記第１の筐体及び前記第２の筐体の長手方向の向き及び外部指示のいずれかに応じて前記撮像手段にて取込まれた画像を回転させる手段を含み、その回転した画像を前記サブ表示手段に表示することを特徴とする請求項１から請求項３のいずれか記載の折り畳み型携帯端末装置。
【請求項５】
前記第２の筐体に設けられた電源供給源に前記サブ表示手段を一体に取付けたことを特徴とする請求項１から請求項４のいずれか記載の折り畳み型携帯端末装置。
【請求項６】
前記第２の筐体に設けられたサイドキーを前記撮像手段のカメラのシャッタとして使用することを特徴とする請求項１から請求項５のいずれか記載の折り畳み型携帯端末装置。
【請求項７】
画像を取込む撮像手段と各種情報を表示するメイン表示手段とが少なくとも配置された第１の筐体と、各種情報の入力を行うキー操作手段が少なくとも配置された第２の筐体とを回動自在に接続してなる折り畳み型携帯端末装置の画像表示方法であって、前記画像及び前記各種情報に基づいて自端末の制御を行う制御部側に、前記第１の筐体と前記第２の筐体とが閉じた状態を検出するステップと、その状態を検出した時に前記撮像手段にて取込まれた画像を前記第２の筐体に設けたサブ表示手段に表示するステップとを有することを特徴とする画像表示方法。
【請求項８】
前記制御部側に、前記第１の筐体と前記第２の筐体とが開いた状態が検出された時に前記撮像手段にて取込まれた画像を前記メイン表示手段に表示するステップを含むことを特徴とする請求項７記載の画像表示方法。
【請求項９】
前記第１の筐体及び前記第２の筐体の長手方向の向き及び外部指示のいずれかに応じて前記撮像手段にて取込まれた画像を回転させるステップと、その回転した画像を前記サブ表示手段に表示するステップとを含むことを特徴とする請求項７または請求項８記載の画像表示方法。
【請求項１０】
前記第２の筐体に設けられた電源供給源に前記サブ表示手段を一体に取付けたことを特徴とする請求項７から請求項９のいずれか記載の画像表示方法。
【請求項１１】
前記第２の筐体に設けられたサイドキーを前記撮像手段のカメラのシャッタとして使用することを特徴とする請求項７から請求項１０のいずれか記載の画像表示方法。
【発明の詳細な説明】
【０００１】
【発明の属する技術分野】
本発明は折り畳み型携帯端末装置及びそれに用いる画像表示方法に関し、特に撮像素子を備えた折り畳み型携帯電話機に関する。
【０００２】
【従来の技術】
近年、携帯電話機においては、折り畳み型携帯電話機とストレートタイプ携帯電話機とがあるが、それらのいずれのタイプにも、撮像素子（カメラ）を備えた端末が増えてきている。
【０００３】
折り畳み型携帯電話機では、カメラと背面ＬＣＤ（Ｌｉｑｕｉｄ  Ｃｒｙｓｔａｌ  Ｄｉｓｐｌａｙ：液晶ディスプレイ）とが筐体外面の同じ面（上部筐体側のメインＬＣＤに対向する面）に配置されている。この折り畳み型携帯電話機では、上部筐体と下部筐体とを開くと、メインＬＣＤを使って相手の画像を撮影することができ、上部筐体と下部筐体とを閉じた状態でも背面ＬＣＤを使って自画像を撮影することができる。
【０００４】
一方、ストレートタイプ携帯電話機では、カメラとＬＣＤとが背中合わせに配置されていて（互いに対向する面に配置）、ＬＣＤを使って相手の画像を撮影することができる（例えば、特許文献１参照）。
【０００５】
【特許文献１】
特開２００２−２７１６６４号公報（第１，２頁、図９）
【０００６】
【発明が解決しようとする課題】
しかしながら、従来の携帯電話機では、折り畳み型携帯電話機の場合、カメラと背面ＬＣＤとが同じ面にあるため、携帯電話機を閉じた状態で相手の画像を撮影することができないという問題がある。
【０００７】
また、従来の携帯電話機では、ストレートタイプ携帯電話機の場合、カメラとＬＣＤとが固定されていて動かすことができないため、自画像をＬＣＤを介して撮影することができない。さらに、携帯電話機がスリムであればあるほど、カメラとしては使いにくい形状になってしまう。
【０００８】
そこで、本発明の目的は上記の問題点を解消し、相手の画像や自画像を容易に撮影することができる折り畳み型携帯端末装置及びそれに用いる画像表示方法を提供することにある。
【０００９】
【課題を解決するための手段】
本発明による折り畳み型携帯端末装置は、画像を取込む撮像手段と各種情報を表示するメイン表示手段とが少なくとも配置された第１の筐体と、各種情報の入力を行うキー操作手段が少なくとも配置された第２の筐体とを回動自在に接続してなる折り畳み型携帯端末装置であって、前記第２の筐体に設けられかつ前記撮像手段にて取込んだ画像を表示可能なサブ表示手段を備え、前記第１の筐体と前記第２の筐体とが閉じた状態において前記撮像手段と前記サブ表示手段とを互いに対向する面上に配置している。
【００１０】
本発明による画像表示方法は、画像を取込む撮像手段と各種情報を表示するメイン表示手段とが少なくとも配置された第１の筐体と、各種情報の入力を行うキー操作手段が少なくとも配置された第２の筐体とを回動自在に接続してなる折り畳み型携帯端末装置の画像表示方法であって、前記画像及び前記各種情報に基づいて自端末の制御を行う制御部側に、前記第１の筐体と前記第２の筐体とが閉じた状態を検出するステップと、その状態を検出した時に前記撮像手段にて取込まれた画像を前記第２の筐体に設けたサブ表示手段に表示するステップとを備えている。
【００１１】
すなわち、本発明の折り畳み型携帯端末装置は、上部筐体と下部筐体とを閉じた状態において、ファインダとして使うサブＬＣＤ（Ｌｉｑｕｉｄ  Ｃｒｙｓｔａｌ  Ｄｉｓｐｌａｙ：液晶ディスプレイ）をカメラと反対の面に設置し、筐体の側面に設置したサイドキーをカメラのシャッタとして使用することによって、上部筐体と下部筐体とを閉じた状態のまま、ディジタルカメラのように相手の画像を撮影することが可能になる。
【００１２】
より具体的に説明すると、本発明の折り畳み型携帯端末装置では、上部筐体と下部筐体とを閉じた状態において、それらの筐体の外側に、カメラとサブＬＣＤとを背中合わせに配置しており、さらに側面にはサイドキーを備えている。ユーザは上部筐体と下部筐体とを閉じた状態で、サブＬＣＤを介してカメラがとらえた相手の画像を確認し、サイドキーをカメラのシャッタとして使用することで、相手の画像を撮影することが可能となる。
【００１３】
また、本発明の折り畳み型携帯端末装置では、上部筐体と下部筐体とを開いた状態において、カメラとサブＬＣＤとを同じ面上に配置することが可能となり、自画像もサブＬＣＤを介して確認して撮影することが可能となる。この場合には、従来と同様に、メインＬＣＤを介して相手の画像を撮影することも可能である。
【００１４】
上記のように、本発明の折り畳み型携帯端末装置では、上部筐体と下部筐体とを閉じた状態において、カメラとサブＬＣＤを背中合わせに設置し、カメラのシャッタをサイドキーに割り当てることによって、上部筐体と下部筐体とを開いた状態とすることなく、ディジタルカメラを使うかのように、相手の画像を撮影することが可能となるので、相手の画像や自画像を容易に撮影することが可能となる。
【００１５】
【発明の実施の形態】
次に、本発明の実施例について図面を参照して説明する。図１（ａ），（ｂ）は本発明の一実施例による折り畳み型携帯端末装置の上部筐体と下部筐体とを閉じた状態を示す図であり、図２（ａ），（ｂ）は本発明の一実施例による折り畳み型携帯端末装置の上部筐体と下部筐体とを開いた状態を示す図である。
【００１６】
これら図１及び図２において、携帯端末本体１は互いに回動自在に接続された上部筐体１ａ及び下部筐体１ｂから構成され、上部筐体１ａにはカメラ（撮像素子）２と、それに対向するメインＬＣＤ（Ｌｉｑｕｉｄ  Ｃｒｙｓｔａｌ  Ｄｉｓｐｌａｙ：液晶ディスプレイ）５とが配置されており、下部筐体１ｂには図示せぬメインキーと、サブＬＣＤ３と、サイドキー４とが配置されている。
【００１７】
したがって、カメラ２及びサブＬＣＤ３は上部筐体１ａと下部筐体１ｂとが閉じた状態において、互いに対向する面、つまり背中合わせの状態となる［図１（ａ）及び図１（ｂ）参照］。また、カメラ２及びサブＬＣＤ３は上部筐体１ａと下部筐体１ｂとが開いた状態において、同一面側に配置されることとなる［図２（ｂ）参照］。
【００１８】
サイドキー４は下部筐体１ｂの側面に配置されており、このサイドキー４をカメラ２のシャッタとして用いることで、ユーザはサブＬＣＤ３を介してカメラ２がとらえた相手の画像を確認し、サイドキー４を押下することで、上部筐体１ａと下部筐体１ｂとが閉じた状態のままで、相手の画像を撮影記録することができる［図１（ａ）及び図１（ｂ）参照］。
【００１９】
一方、上部筐体１ａと下部筐体１ｂとを開いた状態において、カメラ２とサブＬＣＤ３とが同一面側に配置されるので、カメラ２がとらえた自画像もサブＬＣＤ３を介して確認し、撮影記録することができる［図２（ｂ）参照］。その際、従来と同様に、カメラ２がとらえた相手の画像をメインＬＣＤ５を介して確認し、撮影記録することも可能である［図２（ａ）参照］。
【００２０】
図３は本発明の一実施例による折り畳み型携帯端末装置の構成を示すブロック図である。図３において、携帯端末本体１はアンテナ１１と、無線部１２と、制御部１３と、ＬＣＤ制御部１６と、キー部（メインキー）１７と、マイク１８と、レシーバ１９と、カメラ２と、サブＬＣＤ３と、サイドキー部４と、メインＬＣＤ５とから構成され、制御部１３はＣＰＵ（中央処理装置）１４とメモリ１５とを備えている。
【００２１】
アンテナ１１で受信された無線信号は無線部１２によって復調されて電気信号となる。復調された電気信号は制御部１３によってデコードされ、制御部１３内のＣＰＵ１４によって自己の呼出し信号［自ＩＤ（識別情報）］であるかの解析が行われる。通常、自ＩＤはメモリ１５に格納されている。
【００２２】
ＣＰＵ１４が受信信号を自己の呼出し信号であると判断すると、サブＬＣＤ３やメインＬＣＤ５からなる表示部等の報知手段によって着信したことの報知動作が行われる。その報知中にオフフックキー（キー部１７またはサイドキー部４の中で対応するキー）が押下されると、制御部１３はＣＰＵ１４に対してオフフックキーが押下されたことを通知する。
【００２３】
ＣＰＵ１４はオフフックキーが押下されたことを確認すると、呼設定応答要求を制御部１３に対して行う。呼設定応答要求は制御部１３によってエンコードされ、無線部１２で変調され、アンテナ１１から無線信号として基地局（図示せず）に送出される。
【００２４】
ＣＰＵ１４の呼設定応答によって呼設定が完了すると、マイク１８及びレシーバ１９を用いて通話動作が行われる。尚、ＣＰＵ１４はメモリ１５に格納されたプログラム（コンピュータで実行可能なプログラム）を実行することで、上記のような制御を行う。
【００２５】
ＬＣＤ制御部１６は制御部１３からの指示に応じて、上記の呼設定情報やカメラ２で撮影された画像［外部から図示せぬインタフェースを介して入力される画像（例えば、アルバム用の画像等）、電子メール機能を用いて取得した画像等を含む］のサブＬＣＤ３やメインＬＣＤ５への表示を制御する。尚、カメラ２で撮影された画像はメモリ１５に記録可能とする。
【００２６】
図４は本発明の一実施例による折り畳み型携帯端末装置の画像撮影処理を示すフローチャートである。これら図１〜図４を参照して本発明の一実施例による折り畳み型携帯端末装置の画像撮影処理について説明する。
【００２７】
制御部１３はキー部１７またはサイドキー部４の中で対応するキーが押下されて画像撮影モードになると（図４ステップＳ１）、上部筐体１ａ及び下部筐体１ｂの状態を判定する（図４ステップＳ２）。上部筐体１ａ及び下部筐体１ｂの状態検出としては磁力による検出やスイッチによる検出等が考えられるが、その検出方法としてはどのようなものでも適用可能である。
【００２８】
制御部１３は上部筐体１ａ及び下部筐体１ｂが閉状態であると判定すると、ＬＣＤ制御部１６に指示し、カメラ２から取込んだ画像をサブＬＣＤ３に表示させる（図４ステップＳ３）。
【００２９】
この時、制御部１３はサイドキー部４の中で対応するキーが押下されると（図４ステップＳ４）、カメラ２から取り込まれた画像を記録する（図４ステップＳ５）［図１（ａ）及び図１（ｂ）参照］。この状態では携帯電話本体１を持ちやすいサイズに保ったまま、サブＬＣＤ３を介して相手の画像をカメラ２で撮影することができる。
【００３０】
一方、制御部１３は上部筐体１ａ及び下部筐体１ｂが開状態であると判定すると、ＬＣＤ制御部１６に指示し、カメラ２から取込んだ画像をメインＬＣＤ５とサブＬＣＤ３とに表示させる（図４ステップＳ６）。
【００３１】
この時、制御部１３はキー部１７またはサイドキー部４の中で対応するキーが押下されると（図４ステップＳ７）、カメラ２から取込んだ画像をメモリ１５等に記録する（図４ステップＳ５）［図２（ａ）及び図２（ｂ）参照］。この状態ではメインＬＣＤ５を介して相手の画像を、サブＬＣＤ３を介して自画像をそれぞれカメラ２で撮影することができる。
【００３２】
このように、本実施例では、上部筐体１ａ及び下部筐体１ｂが閉状態の時に、カメラ２とサブＬＣＤ３とが背中合わせになるように設置し、カメラ２のシャッタをサイドキー４に割り当てることによって、上部筐体１ａ及び下部筐体１ｂを開状態とすることなく、ディジタルカメラを使うかのように、相手の画像を撮影することができる。
【００３３】
したがって、本実施例では、携帯電話本体１を折り畳んだ状態でカメラ２とサブＬＣＤ３とを背中合わせに設置することで、画像撮影の際に携帯電話本体１を開く手間が要らず、鞄やポケットから取出してすぐに撮影することができる。
【００３４】
図５は本発明の他の実施例による折り畳み型携帯端末装置の画像撮影処理を示す図であり、図６は本発明の他の実施例による折り畳み型携帯端末装置の画像撮影処理を示すフローチャートである。これら図５及び図６を参照して本発明の他の実施例による折り畳み型携帯端末装置の画像撮影処理について説明する。
【００３５】
本発明の他の実施例では、サブＬＣＤ３における画像表示についてさらに工夫している。すなわち、サブＬＣＤ３に表示される画像は携帯電話本体１の上部筐体１ａ及び下部筐体１ｂの開閉状態によって上辺が変わってしまうが、図５に示すように、サブＬＣＤ３においては携帯端末本体１の向き（横方向あるいは縦方向）を感知して自動的に、もしくはユーザ操作によって、カメラ２から取込んだ画像を、図５（ａ）〜図５（ｃ）に示すように、左９０°、右９０°、もしくは１８０°のいずれかの角度に回転させて表示している。
【００３６】
まず、制御部１３はキー部１７またはサイドキー部４の中で対応するキーが押下されて画像撮影モードになると（図６ステップＳ１１）、上部筐体１ａ及び下部筐体１ｂの状態を判定する（図６ステップＳ１２）。
【００３７】
制御部１３は上部筐体１ａ及び下部筐体１ｂが閉状態であると判定すると、携帯端末本体１の向き（あるいはユーザ操作）を感知すると（図６ステップＳ１３）、カメラ２から取込んだ画像を左９０°、右９０°、もしくは１８０°のいずれかの角度に回転させ（図６ステップＳ１４）、ＬＣＤ制御部１６に指示してその画像をサブＬＣＤ３に表示させる（図６ステップＳ１５）。
【００３８】
例えば、ユーザが携帯電話本体１を長手方向を縦の状態にして持っても、図５（ｃ）に示すように、カメラ２から取込まれた相手の画像はサブＬＣＤ３に横にではなく、縦に表示されることとなる。つまり、ユーザは相手の画像を見た状態のまま表示させることができる。
【００３９】
一方、制御部１３は携帯端末本体１の向き（あるいはユーザ操作）を感知しなければ（図６ステップＳ１３）、カメラ２から取込んだ画像をそのままサブＬＣＤ３に表示させる（図６ステップＳ１５）。
【００４０】
上記の状態において、制御部１３はサイドキー部４の中で対応するキーが押下されると（図６ステップＳ１６）、カメラ２から取込んだ画像をメモリ１５等に記録する（図６ステップＳ１７）。この状態では持ちやすいサイズに保ったまま、サブＬＣＤ３を介して画像を撮影することができる。
【００４１】
これに対し、制御部１３は上部筐体１ａ及び下部筐体１ｂが開状態であると判定すると、上記と同様に、ＬＣＤ制御部１６に指示し、カメラ２から取込んだ画像をメインＬＣＤ５とサブＬＣＤ３とに表示させる（図６ステップＳ１８）。
【００４２】
この時、制御部１３はキー部１７またはサイドキー部４の中で対応するキーが押下されると（図６ステップＳ１９）、カメラ２から取込んだ画像をメモリ１５等に記録する（図６ステップＳ１７）。この状態ではメインＬＣＤ５を介して相手の画像を、サブＬＣＤ３を介して自画像をそれぞれカメラ２で撮影することができる。
【００４３】
このように、本実施例では、サブＬＣＤ３に表示される画像を携帯端末本体１の向きやユーザ操作によって左９０°、右９０°、１８０°のいずれかの角度に回転させることで、撮影時の使用状態（持ち手の左右、携帯電話の開閉、サイドキー４の上下等）に規制されることなく、また横向きの画像も、ユーザが顔や身体を傾けることなく撮影することができる。
【００４４】
尚、図示していないが、本発明では、上部筐体１ａ及び下部筐体１ｂにおいて、カメラ２及びサブＬＣＤ３を保護するために、開閉式もしくはスライド式のカバーを設けることが可能であり、その場合には携帯電話本体１の外面に設けられたカメラ２及びサブＬＣＤ３のどちらかを下面にして置いても、それらに傷がつくのを防ぐことができる。
【００４５】
したがって、この場合には、カメラ２及びサブＬＣＤ３のどちらが下面になっても、それらに傷がつく心配をすることなく、携帯端末本体１を机上等に置くことができる。
【００４６】
また、サブＬＣＤ３が配置されている箇所には、通常、図示せぬバッテリが配置されているが、サブＬＣＤ３をそのバッテリと一体とすることで、上述した本発明の項かを得ることができる。その場合、バッテリ交換の際には、サブＬＣＤ３もバッテリと同時に交換することとなる。よって、この場合には、サブＬＣＤが破損しても、バッテリを交換することによって、手軽にサブＬＣＤ３を修復することができる。
【００４７】
さらに、上述したサブＬＣＤ３は、従来のカメラ２と同一面上に配置されたサブＬＣＤ（図示せず）に追加する形で配置することも可能であり、その場合には相手の画像も、自画像も携帯電話本体１を折り畳んだ状態で、携帯電話本体１を開く手間も要らずに、鞄やポケットから取出してすぐに撮影することができる。
【００４８】
【発明の効果】
以上説明したように本発明は、上記のような構成及び動作とすることで、相手の画像や自画像を容易に撮影することができるという効果が得られる。
【図面の簡単な説明】
【図１】（ａ），（ｂ）は本発明の一実施例による折り畳み型携帯端末装置の上部筐体と下部筐体とを閉じた状態を示す図である。
【図２】（ａ），（ｂ）は本発明の一実施例による折り畳み型携帯端末装置の上部筐体と下部筐体とを開いた状態を示す図である。
【図３】本発明の一実施例による折り畳み型携帯端末装置の構成を示すブロック図である。
【図４】本発明の一実施例による折り畳み型携帯端末装置の画像撮影処理を示すフローチャートである。
【図５】本発明の他の実施例による折り畳み型携帯端末装置の画像撮影処理を示す図である。
【図６】本発明の他の実施例による折り畳み型携帯端末装置の画像撮影処理を示すフローチャートである。
【符号の説明】
１  携帯端末本体
１ａ  上部筐体
１ｂ  下部筐体
２  カメラ
３  サブＬＣＤ
４  サイドキー
５  メインＬＣＤ
１１  アンテナ
１２  無線部
１３  制御部
１４  ＣＰＵ
１５  メモリ
１６  ＬＣＤ制御部
１７  キー部
１８  マイク
１９  レシーバ
【図１】
2004260501.tif 000003
【図２】
2004260501.tif 000004
【図３】
2004260501.tif 000005
【図４】
2004260501.tif 000006
【図５】
2004260501.tif 000007
【図６】
2004260501.tif 000008